(57)【要約】【課題】  息を吸い込むタイプの鼻汁吸い取り器に、家庭用電気掃除機を接続して、利用することで、低コストで安定した吸引力と持続力を持たせる。【解決手段】  筒状の本体の一端に、息を吸い込むタイプの鼻汁吸い取り器５の吸い口用チューブ６と連結する第一ノズル２を有し、筒状の本体の他端に、家庭用電気掃除機のホース７と連結する第二ノズル４を有し、本体の内部空間を大気に開放させることで吸引力を調整する開口部を有することを特徴とする鼻汁吸引補助器。【選択図】      図１
2009006026.tif 000002
【特許請求の範囲】
【請求項１】
筒状の本体の一端に、息を吸い込むタイプの鼻汁吸い取り器の吸い口用チューブと連結する第一ノズルを有し、筒状の本体の他端には、家庭用電気掃除機のホースと連結する第二ノズルを有することを特徴とする鼻汁吸引補助器。
【請求項２】
筒状の本体の一端に、息を吸い込むタイプの鼻汁吸い取り器の吸い口用チューブと連結する第一ノズルを有し、筒状の本体の他端には、家庭用電気掃除機のホースと連結する第二ノズルを有し、本体の内部空間を大気に開放させて吸引力を調整するための開口部を備えることを特徴とする鼻汁吸引補助器。
【発明の詳細な説明】
【技術分野】
【０００１】
本発明は、市販の息を吸い込むタイプの鼻汁吸い取り器を利用した、鼻汁吸引補助器に関するものである。
【背景技術】
【０００２】
市販の息を吸い込むタイプの鼻汁吸い取り器の一例として、特公平１１−１７８９１６号に開示されたベビー用鼻汁吸い取り器がある。この考案は、有底円筒状の本体部の上方に接続された円筒状の管を鼻にあて、本体部から出ている吸い口用チューブから、息を吸い込んで鼻汁を吸い取るようにしたものである（従来技術１）。
【０００３】
家庭用電気掃除機を利用した鼻汁吸い取り器の一例として、特公平１０−９９４２７号に開示された鼻汁吸引器がある。この考案は、本体容器に接合した吸入ノズル先端を家庭用電気掃除機に接続し、チューブホースを通じて鼻汁を吸引するものである（従来技術２）。
【０００４】
吸引装置を備えた鼻汁吸い取り器の一例として、特公２００１−２１８８３１号に開示された携帯用鼻水吸引器がある。この考案は、バッテリーによって駆動する吸引駆動源が、鼻汁吸い取り器に内蔵されているものである（従来技術３）。
【０００５】
このように、市販の鼻汁吸い取り器のほとんどが、息を吸い込むことによる口吸引であるため、安定した吸入力を持続的に保持して、完壁に鼻水を除去することが難しい。
【０００６】
また、従来技術２のような家庭用電気掃除機を利用した鼻汁吸い取り器は、家庭用電気掃除機用の吸引ノズルを鼻汁吸い取り器に備えているもので、息を吸い込むタイプの鼻汁吸い取り器を活用し、補助する目的の鼻汁吸引補助器ではない。
【０００７】
加えて、従来技術２のような家庭用電気掃除機用の吸引ノズルを備えた鼻汁吸い取り器は、市販されていない。
【０００８】
従来技術３のような、吸引装置を本体に内蔵している鼻汁吸い取り器は非常に高価である。
【特許文献１】特公平１１−１７８９１６号公報
【特許文献２】特公平１０−９９４２７号公報
【特許文献３】特公２００１−２１８８３１号公報
【発明の開示】
【発明が解決しようとする課題】
【０００９】
従来技術１の鼻汁吸い取り器では、息を吸い込むことで吸引するため、吸引力は個人の肺活量や体力・体調などに左右され、安定した吸入力を持続的に保持して、完壁に鼻水を除去することが難しい。
【００１０】
また、従来技術２のような、家庭用電気掃除機用の吸引ノズルを備えたタイプの鼻汁吸引機は市販されていない上、市販されている息を吸い込むタイプの鼻汁吸い取り器を活用できない。
【００１１】
従来技術３のような、吸引装置を本体に内蔵している鼻汁吸い取り器は非常に高価であるため、家庭で気軽に購入し、使用できるものではない。
【００１２】
本発明は上記の課題を解決するためになされたもので、家庭用電気掃除機を利用して、息を吸い込むタイプの鼻汁吸い取り器に、安価で、安定した吸引力と持続力を持たせることを目的としたものである。
【課題を解決するための手段】
【００１３】
筒状の本体の一端に、息を吸い込むタイプの鼻汁吸い取り器の吸い口用チューブと連結する第一ノズルを有し、筒状の本体の他端に、家庭用電気掃除機のホースと連結する第二ノズルを有することを特徴とする。
【００１４】
息を吸い込むタイプの鼻汁吸い取り器の吸い口用チューブと連結する第一ノズルは、どのメーカーでも連結可能なように先が細くなる形状である。
【００１５】
家庭用電気掃除機のホースと連結する第二ノズルは、どのメーカーでも連結可能なように先が細くなる形状である。
【００１６】
この鼻汁吸引補助器における吸引力調整の仕組みは、本体の内部空間を大気に解放させる本体開口部と、吸引力を調整するための吸引力調整リングからなる。吸引力調整リングは、本体開口部とほぼ同じ面積の開口部を有し、本体の軸線回りに回転させることにより、接続した息を吸い込むタイプの鼻汁吸い取り器の吸引力を容易に調整することができる。すなわち、吸引力が不足する場合には、吸引力調整リングを回して本体の開口面積を小さく、もしくは本体開口部に蓋をすることで、効果的に鼻水を吸引することができる。逆に吸引力が強すぎる場合には、本体開口部の開口面積を大きくして、吸引力を低下させることができる。
【発明の効果】
【００１７】
以上説明したように本発明によれば、既に所有している息を吸い込むタイプの鼻汁吸い取り器と家庭用電気掃除機を簡単に接続できることにより、個人の肺活量や体力・体調などに左右されることなく、息を吸い込むタイプの鼻汁吸い取り器に安定した吸引力と持続力を有することが可能となる。
【００１８】
息を吸い込むタイプの鼻汁吸い取り器では取りづらかった、粘度の高い青い鼻汁も、家庭用電気掃除機を利用することで、耳鼻咽喉科に行かずとも、簡単に取ることができる。これにより、自分で鼻をかめない乳幼児の不快感を和らげ、鼻汁が溜まることで乳幼児がかかりやすいとされる中耳炎や副鼻腔炎の予防ができる。また、鼻汁を吸引するために、頻繁に耳鼻咽喉科に通う必要がなくなるので、母親の負担も減らすことができる。
【００１９】
また、すでに安価に市販されている息を吸い込むタイプの鼻汁吸い取り器を活用することで、コストが抑えられるため、家庭でも気軽に購入できる。
【００２０】
構造も簡単なことから、万が一鼻汁が鼻汁吸い取り器を通過し、本発明品に流入したとしても洗浄が可能で、また簡単である。
【００２１】
吸引力を調整する開口部を有しているので、鼻水の粘度や、個人の嗜好によって吸引力を調整することができる。
【発明を実施するための最良の形態】
【００２２】
以下、本発明の実施の形態を図面に基づいて説明する。
【００２３】
図１〜５は、本発明の一実施形態であり、図１はその組立図、図２は本発明品と鼻汁吸い取り器の吸い口用チューブ、及び家庭用電気掃除機のホースとの接続図、図３は本体正面図、図４は吸引力調整リングの正面図、図５は吸引力調整リングを回して、本発明品の吸引力を最大にしたときの正面図である。
【００２４】
図３に示すように、筒状の本体８は、一端に息を吸い込むタイプの鼻汁吸い取り器５の吸い口用チューブ６と連結する第一ノズル２を、他端には家庭用電気掃除機のホース７と連結する第二ノズル４を有し、本体の内部空間を大気に開放させて吸引力を調整するための開口部８ａからなる。
【００２５】
図１に示すように、各メーカーの鼻汁吸い取り器に対応できるように第一ノズル２は、先が細くなる形状である。
【００２６】
図１に示すように、各メーカーの家庭用電気掃除機に対応できるように第二ノズル４は、先が細くなる形状である。
【００２７】
吸引力調整リング３は、図３及び図５に示すとおり、本体８ｂの外径と略々同じ内径を有するリング状に形成され、本体の軸線回りに回動可能となっている。また、図４に示される吸引力調整リング３の開口部３ａは、本体の開口部８ａと略々同じ面積を有している。この吸引力調整リング３を、図５のように回転し、本体の内部空間を大気に解放させる量を調整することにより、吸引力を簡単に調整することができる。
【００２８】
図２に示すように、本発明品１の第一ノズル２は鼻汁吸い取り器５の吸い口用チューブ６と接続し、第二ノズル４は家庭用電気掃除機のホース７と接続する。
【００２９】
本発明品１の使用方法は、図２に示すように、鼻汁吸い取り器５の吸い口用チューブ６及び家庭用電気掃除機のホース７を本発明品１にそれぞれ接続させたのち、鼻汁吸い取り器５の本体容器上方にある円筒状の管を鼻にあて、家庭用電気掃除機のスイッチを入れて、鼻汁を吸引する。
【００３０】
吸引力を調節したい場合には、図５に示すとおり、吸引力調整リング３を本体の軸線回りに回して、調整する。すなわち、吸引力が強い場合には、図２のように、吸引力調整リング３の開口部３ａと、本体８の開口部８ａの面積を合わせ、開口面積を最大にすることによって吸引力を弱める。吸引力が不足する場合には、図５のように吸引力調整リング３を回して、本体８の開口部８ａの面積を小さく又は開口部８ａに蓋をすることによって吸引力を強める。
【図面の簡単な説明】
【００３１】
【図１】本発明の一実施形態の組立図である。
【図２】本発明品と鼻汁吸い取り器の吸い口用チューブ、及び家庭用電気掃除機のホースとの接続図である。
【図３】本体の正面図である。
【図４】吸引力調整リングの正面図である。
【図５】吸引力調整リングを回転させ、本発明品の吸引力を最大にしたときの正面図。
【符号の説明】
【００３２】
１      本発明品
２      鼻汁吸い取り器の吸い口用チューブと連結する第一ノズル
３      吸引力調整リング
３ａ    吸引力調整リングの開口部
４      家庭用電気掃除機のホースと連結する第二ノズル
５      息を吸い込むタイプの鼻汁吸い取り器
６      息を吸い込むタイプの鼻汁吸い取り器の吸い口用チューブ
７      家庭用電気掃除機のホース
８      本体
８ａ    本体開口部
８ｂ    吸引力調整リングとの接続面
【図１】
2009006026.tif 000003
【図２】
2009006026.tif 000004
【図３】
2009006026.tif 000005
【図４】
2009006026.tif 000006
【図５】
2009006026.tif 000007